(57)【要約】      （修正有）【課題】正常な作動状態であるか、或いは、故障状態であるかを有効に表示することができるインテリジェント型表示灯を有する分配増幅器を提供する。【解決手段】分配増幅器は、第１のコネクタ１０、第１の増幅器２０、第２のコネクタ３０、電源電圧安定器４０、誘導コイル５０、電圧検出回路６０、第１の表示灯８０、第２の増幅器９０、第２の表示灯１００から構成される。電圧検出回路６０は、誘導コイル５０が誘導した電圧に基づき、制御信号を出力する。制御信号が高電位である場合、第１の表示灯８０が点灯し、第２の増幅器９０が導通され、第２の表示灯１００が消灯する。制御信号が低電位である場合、第１の表示灯は、消灯し、第２の増幅器が遮断され、第２の表示灯が点灯する。これにより、分配増幅器が正常な作動状態であるか否かを判断することができる。【選択図】図２
0003187326.tif 000002
【実用新案登録請求の範囲】
【請求項１】
第１のコネクタ、第１の増幅器、第２のコネクタ、電源電圧安定器、誘導コイル、電圧検出回路、第１の表示灯、第２の増幅器、第２の表示灯を備えるインテリジェント型表示灯を有する分配増幅器であって、
前記第１のコネクタは、ＲＦ信号を入力するために用いられ、
前記第１の増幅器は、入力端が前記第１のコネクタに接続され、前記ＲＦ信号を増幅するために用いられ、
前記第２のコネクタは、前記第１の増幅器の出力端に接続され、前記ＲＦ信号を出力するために用いられ、
前記電源電圧安定器は、第１端が第１の直流電源に接続され、第２端が接地され、第３端は、電圧安定化がされた後、第２の直流電源を出力し、
前記誘導コイルは、第１端が前記第２の直流電源に接続され、第２端が前記第１の増幅器の電源入力端に接続され、前記電源入力端上の電源を誘導するために用いられ、前記第１の増幅器が正常に作動している場合、前記誘導コイルは、第１の電圧を誘導することができ、前記第１の増幅器が故障した場合、前記誘導コイルは、第２の電圧を誘導することができ、
前記電圧検出回路は、第１端が前記第２の直流電源に接続され、前記誘導コイルが誘導した電圧に基づき、制御信号を出力し、前記第１の電圧の場合、前記電圧検出回路は、高電位の制御信号を出力し、前記第２の電圧の場合、前記電圧検出回路は、低電位の制御信号を出力し、
前記第１の表示灯は、第１端が前記制御信号に接続され、第２端が接地され、
前記第２の増幅器は、第１端が前記制御信号及び前記第１の表示灯の第１端に接続され、第２端が接地され、第３端が抵抗を介し、前記第１の直流電源に接続され、
前記第２の表示灯は、第１端が前記第２の増幅器の第３端に接続され、第２端が接地され、
前記制御信号が高電位である場合、前記第１の表示灯が点灯し、前記第２の増幅器が導通され、前記第２の表示灯が消灯し、前記制御信号が低電位である場合、前記第１の表示灯は、消灯し、前記第２の増幅器が遮断され、前記第２の表示灯が点灯し、これにより、前記増幅器が正常な作動状態であるか否かを判断することができることを特徴とするインテリジェント型表示灯を有する分配増幅器。
【請求項２】
前記第１のコネクタ及び前記第２のコネクタは、Ｆ型コネクタ又はＲＪ−４５コネクタであることを特徴とする請求項１に記載のインテリジェント型表示灯を有する分配増幅器。
【請求項３】
前記ＲＦ信号の周波数は、５ＭＨｚ〜１００２ＭＨｚであることを特徴とする請求項１に記載のインテリジェント型表示灯を有する分配増幅器。
【請求項４】
前記第１の増幅器及び前記第２の増幅器は、トランジスタであり、前記第１端は、ベース極であり、前記第２端は、エミッタ極であり、前記第３極は、コレクタ極であることを特徴とする請求項１に記載のインテリジェント型表示灯を有する分配増幅器。
【請求項５】
前記第１の表示灯は、緑色ＬＥＤであり、前記第２の表示灯は、赤色ＬＥＤであり、前記第１の電圧は、直流８．５Ｖ〜９．０Ｖであり、前記第２の電圧は、直流４．５Ｖ〜５．６Ｖであることを特徴とする請求項１に記載のインテリジェント型表示灯を有する分配増幅器。
【請求項６】
第１の抵抗をさらに備え、
前記第１の抵抗は、前記電源電圧安定器と前記誘導コイルとの間に設置され、第１端が前記第２の直流電源に接続され、第２端が前記誘導コイルの第１端に接続され、前記第１の抵抗は、前記誘導コイルと共に、電源分圧を行うことができることを特徴とする請求項１に記載のインテリジェント型表示灯を有する分配増幅器。
【請求項７】
前記電圧検出回路は、第２の抵抗、可変抵抗、第３の抵抗、第４の抵抗、第１のトランジスタ、第５の抵抗、第６の抵抗、第７の抵抗、第２のトランジスタ、第８の抵抗、第３のトランジスタ及び第４のトランジスタをさらに有し、
前記第２の抵抗は、第１端が前記第１の抵抗の第１端に接続され、第２端が前記第２の直流電源に接続され、
前記可変抵抗は、第１端が前記第１の抵抗及び前記第２の抵抗の第１端に接続され、
前記第３の抵抗は、第１端が前記可変抵抗の第２端に接続され、
前記第４の抵抗は、第１端が前記第３の抵抗の第２端に接続され、第２端が接地され、
前記第１のトランジスタは、第１端が前記第３の抵抗の第２端及び前記第４の抵抗の第１端に接続され、第２端が接地され、前記可変抵抗、前記第３の抵抗及び前記第４の抵抗は、前記第１のトランジスタが必要とする電圧を調整することができ、
前記第５の抵抗は、第１端が前記第２の直流電源に接続され、第２端が前記第１のトランジスタの第３端に接続され、
前記第６の抵抗は、第１端が前記第５の抵抗の第２端と、前記第１のトランジスタの第３端と、に接続され、
前記第７の抵抗は、第１端が前記第２の直流電源に接続され、
前記第２のトランジスタは、第１端が前記第６の抵抗の第２端に接続され、第２端が接地され、第３端が前記第７の抵抗の第２端に接続され、
前記第８の抵抗は、第１端が前記第２の直流電源に接続され、
前記第３のトランジスタは、第１端が前記第７の抵抗の第１端及び前記第２のトランジスタの第３端に接続され、第２端が接地され、第３端が前記第８の抵抗の第２端に接続され、
前記第４のトランジスタは、第１端が前記第８の抵抗の第２端及び前記第３のトランジスタの第３端に接続され、第２端が前記第２の直流電源に接続され、第３端は、前記第１の表示灯及び前記第２の増幅器に前記制御信号を出力することを特徴とする請求項６に記載のインテリジェント型表示灯を有する分配増幅器。
【請求項８】
前記第１のトランジスタ、前記第２のトランジスタ及び前記第３のトランジスタは、ＮＰＮトランジスタであり、前記第４のトランジスタは、ＰＮＰトランジスタであり、前記第１端は、ベース極であり、前記第２端は、エミッタ極であり、前記第３端は、コレクタ極であることを特徴とする請求項７に記載のインテリジェント型表示灯を有する分配増幅器。
【請求項９】
前記第１のコネクタ、前記第１の増幅器、前記第２のコネクタ、前記電源電圧安定器、前記誘導コイル、前記電圧検出回路、前記第１の表示灯、前記第２の増幅器、前記第２の表示灯などの素子が搭載されるプリント基板をさらに備えることを特徴とする請求項１に記載のインテリジェント型表示灯を有する分配増幅器。
【請求項１０】
スイッチ、第１のデュプレクサ、第２のデュプレクサ及び抵抗整合器をさらに備え、
前記スイッチは、前記プリント基板上に設置される上、第１端が前記制御信号に接続され、第２端が接地され、第３端が前記第１のコネクタに接続され、
前記第１のデュプレクサは、前記プリント基板上に設置される上、前記スイッチと前記第１の増幅器との間に位置し、第１端が前記スイッチの第５端に接続され、第２端が前記第１の増幅器の入力端に接続され、
前記第２のデュプレクサは、前記プリント基板上に設置される上、前記第１の増幅器と前記第２のコネクタとの間に位置し、第１端が前記第２のコネクタに接続され、第２端が前記第１の増幅器の出力端に接続され、第３端が前記第１のデュプレクサの第３端に接続され、
前記抵抗整合器は、前記プリント基板上に設置され、第１端が前記スイッチの第４端に接続され、第２端が接地され、
電源が入ると、前記スイッチが前記第３端と前記第５端とが導通する位置に切り換わり、前記ＲＦ信号を前記第１の増幅器によって増幅した後、前記第２のコネクタから出力し、電源が中断されたり、前記第１の増幅器が故障した場合、前記スイッチは、前記第３端と前記第４端とが導通する位置に切り換わり、前記ＲＦ信号の出力を停止し、前記抵抗整合器により、必要とされる整合抵抗が提供されることを特徴とする請求項９に記載のインテリジェント型表示灯を有する分配増幅器。
【請求項１１】
前記スイッチは、電子式スイッチであり、前記抵抗整合器は、７５Ωの抵抗であることを特徴とする請求項１０に記載のインテリジェント型表示灯を有する分配増幅器。
【請求項１２】
第９の抵抗及び第１０の抵抗をさらに備え、
前記第９の抵抗は、前記プリント基板上に設置される上、前記電圧検出回路と前記第１の表示灯との間に位置し、第１端が前記電圧検出回路の制御信号に接続され、第２端が前記第１の表示灯の第１端に接続され、前記第１の表示灯が必要とする分圧を行うことができ、
前記第１０の抵抗は、前記プリント基板上に設置される上、前記第１の表示灯と前記第２の増幅器との間に位置し、第１端が前記第９の抵抗の第２端に接続され、第２端が前記第２の増幅器の第１端に接続され、前記第２の表示灯が必要とする分圧を行うことができることを特徴とする請求項９に記載のインテリジェント型表示灯を有する分配増幅器。
【請求項１３】
第１のフィルタリング回路、整流ダイオード及び第２のフィルタリング回路をさらに備え、
前記第１のフィルタリング回路は、第１端が前記第１の直流電源に接続され、
前記整流ダイオードは、第１端が前記フィルタリング回路に接続され、第２端が前記第１の直流電源に出力され、
前記第２のフィルタリング回路は、第１端が前記整流ダイオードの第２端に接続され、第２端が前記電源電圧安定器の第１端に接続されることを特徴とする請求項９に記載のインテリジェント型表示灯を有する分配増幅器。
【請求項１４】
前記第１の直流電源は、ＤＣ＋１２Ｖであり、前記第２の直流電源は、ＤＣ＋９Ｖであることを特徴とする請求項１３に記載のインテリジェント型表示灯を有する分配増幅器。
【請求項１５】
前記プリント基板、前記第１のコネクタ、前記第２のコネクタなどの素子が収容されるケーシングをさらに備えることを特徴とする請求項１２に記載のインテリジェント型表示灯を有する分配増幅器。
【請求項１６】
前記ケーシングは、プラスチック材料からなることを特徴とする請求項１５に記載のインテリジェント型表示灯を有する分配増幅器。
【考案の詳細な説明】
【技術分野】
【０００１】
本考案は、インテリジェント型表示灯を有する分配増幅器に関し、特に、電圧検出回路、第１の表示灯及び第２の表示灯を有し、分配増幅器が正常な作動状態であるか、或いは、故障状態であるかを有効に表示することができるインテリジェント型表示灯を有する分配増幅器に関する。
【背景技術】
【０００２】
現在、住宅内の有線テレビシステムは、ケーブルモデム（ｃａｂｌｅ  ｍｏｄｅｍ）又はセットトップボックス（ｓｅｔ  ｔｏｐ  ｂｏｘ）が使用され、タップ（ｔａｐ）、分配器（ｄｉｓｔｒｉｂｕｔｏｒ）又は室内増幅器（ｈｏｕｓｅ  ａｍｐｌｉｆｉｅｒ）を介し、有線テレビケーブルに接続され、映像信号（周波数約５４ＭＨｚ〜１００２ＭＨｚ）がダウンロード（ｄｏｗｎｌｏａｄ）されたり、アップストリーム（ｕｐｓｔｒｅａｍ）の方式により、データ（周波数約５ＭＨｚ〜４２ＭＨｚ）が有線テレビシステムのホスト中に伝送されたりする。
【０００３】
タップ又は分配器の内部は、受動素子からなるため、トランジスタ増幅回路及び表示灯を有さない。また、従来の室内増幅器は、能動素子に属する増幅器であり、一般に、内部には、作動状態を示す表示灯を有する。図１を参照する。図１は、従来の増幅器を示す回路図である。図１に示すように、一般に、従来の増幅器中は、第１のコネクタ２１０、増幅器２２０、第２のコネクタ２３０、電源電圧安定器２４０、誘導コイル２５０及び表示灯２６０を有する。電源をオンにすると、表示灯２６０が点灯し、増幅器が正常な作動状態にあることを表示する。このとき、第１のコネクタ２１０に入力されるＲＦ信号は、増幅器２２０によって増幅された後、第２のコネクタ２３０から出力される。
【０００４】
増幅器２２０が故障した場合、第１のコネクタ２１０から入力されるＲＦ信号は、第２のコネクタ２３０から出力できない。しかし、表示灯２６０に電源が供給され続けるため、表示灯２６０は、点灯し続ける。このため、作業員は、表示灯２６０の表示に基づいて増幅器が正常な作動状態であるか否かを判断することができない。
【０００５】
上述の従来の室内増幅器の欠点に鑑み、本考案は、上述の欠点を解決することができるインテリジェント型表示灯を有する分配増幅器を提供するものである。
【先行技術文献】
【特許文献】
【０００６】
【特許文献１】特開２００１−２７４６４３号公報
【考案の概要】
【考案が解決しようとする課題】
【０００７】
本考案の目的は、電圧検出回路、第１の表示灯及び第２の表示灯を有し、増幅器が正常な作動状態であるか、或いは、故障状態であるかを有効に表示することができるインテリジェント型表示灯を有する分配増幅器を提供することにある。
【課題を解決するための手段】
【０００８】
上述の課題を解決するために、本考案のインテリジェント型表示灯を有する分配増幅器は、第１のコネクタ、第１の増幅器、第２のコネクタ、電源電圧安定器、誘導コイル、電圧検出回路、第１の表示灯、第２の増幅器、第２の表示灯を含む。
【０００９】
第１のコネクタは、ＲＦ信号を入力するために用いられる。
【００１０】
第１の増幅器は、入力端が第１のコネクタに接続され、ＲＦ信号を増幅するために用いられる。
【００１１】
第２のコネクタは、第１の増幅器の出力端に接続され、ＲＦ信号を出力するために用いられる。
【００１２】
電源電圧安定器は、第１端が第１の直流電源に接続され、第２端が接地される。第３端は、電圧安定化がされた後、第２の直流電源を出力する。
【００１３】
誘導コイルは、第１端が第２の直流電源に接続され、第２端が第１の増幅器の電源入力端に接続され、電源入力端上の電源を誘導するために用いられる。第１の増幅器が正常に作動している場合、誘導コイルは、第１の電圧を誘導することができる。第１の増幅器が故障した場合、誘導コイルは、第２の電圧を誘導することができる。
【００１４】
電圧検出回路は、第１端が第２の直流電源に接続され、誘導コイルが誘導した電圧に基づき、制御信号を出力する。第１の電圧の場合、電圧検出回路は、高電位の制御信号を出力する。第２の電圧の場合、電圧検出回路は、低電位の制御信号を出力する。
【００１５】
第１の表示灯は、第１端が制御信号に接続され、第２端が接地される。
【００１６】
第２の増幅器は、第１端が制御信号及び第１の表示灯の第１端に接続され、第２端が接地され、第３端が抵抗を介し、第１の直流電源に接続される。
【００１７】
第２の表示灯は、第１端が第２の増幅器の第３端に接続され、第２端が接地される。
【００１８】
制御信号が高電位である場合、第１の表示灯が点灯し、第２の増幅器が導通され、第２の表示灯が消灯する。制御信号が低電位である場合、第１の表示灯は、消灯し、第２の増幅器が遮断され、第２の表示灯が点灯する。これにより、増幅器が正常な作動状態であるか否かを判断することができる。
【考案の効果】
【００１９】
本考案のインテリジェント型表示灯を有する分配増幅器は、電圧検出回路、第１の表示灯及び第２の表示灯を有し、増幅器が正常な作動状態であるか、或いは、故障状態であるかを有効に表示することができるため、従来の増幅器と比較して進歩性を有する。
【図面の簡単な説明】
【００２０】
【図１】従来の増幅器を示す回路図である。
【図２】本考案の一実施形態によるインテリジェント型表示灯を有する分配増幅器を示す回路図である。
【図３】本考案の一実施形態によるインテリジェント型表示灯を有する分配増幅器をプリント基板に設置した状態を示す斜視図である。
【図４】図３に示すプリント基板をケーシングに設置した状態を示す斜視図である。
【考案を実施するための形態】
【００２１】
本考案の目的、特徴及び効果を示す実施形態を図面に沿って詳細に説明する。
【００２２】
図２〜図４を参照する。図２は、本考案の一実施形態によるインテリジェント型表示灯を有する分配増幅器を示す回路図である。図３は、本考案の一実施形態によるインテリジェント型表示灯を有する分配増幅器をプリント基板に設置した状態を示す斜視図である。図４は、図３に示すプリント基板をケーシングに設置した状態を示す斜視図である。
【００２３】
図２に示すように、本考案のインテリジェント型表示灯を有する分配増幅器は、第１のコネクタ１０、第１の増幅器２０、第２のコネクタ３０、電源電圧安定器４０、誘導コイル５０、電圧検出回路６０、第１の表示灯８０、第２の増幅器９０、第２の表示灯１００から構成される。
【００２４】
第１のコネクタ１０は、例えば、Ｆ型コネクタ（Ｆ−ｃｏｎｎｅｃｔｏｒ）又はイーサネット（Ｅｔｈｅｒｎｅｔ）のＲＪ−４５コネクタである。第１のコネクタ１０は、ＲＦ信号をケーブル（図示せず）中に入力するために用いられる。周波数は、例えば、５ＭＨｚ〜１００２ＭＨｚである。
【００２５】
第１の増幅器２０は、入力端が第１のコネクタ１０に接続され、ＲＦ信号の出力を増幅することができる。第１の増幅器２０は、例えば、トランジスタ回路である。
【００２６】
第２のコネクタ３０は、例えば、Ｆ型コネクタ（Ｆ−ｃｏｎｎｅｃｔｏｒ）又はイーサネット（Ｅｔｈｅｒｎｅｔ）のＲＪ−４５コネクタである。第２のコネクタ３０は、第１の増幅器２０の出力端に接続され、ＲＦ信号を出力するために用いられる。第１のコネクタ１０及び第２のコネクタ３０は、同一（例えば、両方ともＦ型コネクタ又はＲＪ−４５コネクタ）又は異なる（一方がＦ型コネクタで、他方がＲＪ−４５コネクタ）方式で配置される。
【００２７】
電源電圧安定器４０は、第１端が第１の直流電源に接続され、第２端が接地される。第３端は、電圧が安定化された後、第２の直流電源を出力する。第１の直流電源は、例えば、ＤＣ＋１２Ｖである。第２の直流電源は、例えば、ＤＣ＋９Ｖである。
【００２８】
誘導コイル５０は、第１端が第２の直流電源に接続され、第２端が第１の増幅器２０の電源入力端に接続され、電源入力端上の電圧を誘導するために用いられる。第１の増幅器２０が正常に作動している場合、誘導コイル５０上は、第１の電圧（例えば、直流＋８．５Ｖ〜＋９．０Ｖ）を誘導することができる。第１の増幅器２０が故障した場合、誘導コイル５０は、第２の電圧（例えば、直流＋４．５Ｖ〜＋５．６Ｖ）を誘導することができる。
【００２９】
電圧検出回路６０は、第１端が第２の直流電源に接続され、誘導コイル５０が誘導した電圧に基づき、制御信号ＣＮＴＬを出力する。誘導コイル５０上の誘導電圧が第１の電圧である場合、電圧検出回路６０は、高電位の制御信号ＣＮＴＬを出力する。誘導コイル５０上の誘導電圧が第２の電圧である場合、電圧検出回路６０は、低電位の制御信号ＣＮＴＬを出力する。
【００３０】
第１の表示灯８０は、第１端が制御信号ＣＮＴＬに接続され、第２端が接地（ＧＮＤ）される。第１の表示灯８０は、例えば、緑色ＬＥＤである。
【００３１】
第２の増幅器９０は、第１端が制御信号ＣＮＴＬ及び第１の表示灯８０の第１端に接続され、第２端が接地される。第３端は、抵抗９１を介し、第１の直流電源に接続される。第２の増幅器９０は、例えば、ＮＰＮトランジスタである。第１端は、ベース極（Ｂａｓｅ）であり、第２端は、エミッタ極（Ｅｍｉｔｔｅｒ）であり、第３端は、コレクタ極（Ｃｏｌｌｅｃｔｏｒ）である。
【００３２】
第２の表示灯１００は、第１端が第２の増幅器９０の第３端に接続され、第２端が接地される。第２の表示灯１００は、例えば、赤色ＬＥＤである。
【００３３】
制御信号ＣＮＴＬが高電位である場合、第１の表示灯８０が点灯し、第２の増幅器９０のベース極−エミッタ極間の電圧が０．７Ｖより高いため、第２の増幅器９０が導通し、第２の増幅器９０のコレクタ極−エミッタ極間の電圧を０．７Ｖより低くし、第２の表示灯１００が消灯する。これにより、分配器が正常な作動状態であることが分かる。制御信号ＣＮＴＬが低電位である場合、第１の表示灯８０が消灯し、第２の増幅器１００のベース極−エミッタ極間の電圧が０．７Ｖより低いため、第２の増幅器１００が遮断され、第２の表示灯１００が点灯する。これにより、分配器が故障状態であることが分かる。即ち、作業員は、第１の表示灯８０及び第２の表示灯１００の表示に基づき、増幅器が正常な作動状態であるか否かを簡単に判断することができる。
【００３４】
本考案のインテリジェント型表示灯を有する分配増幅器は、第１の抵抗５５をさらに有する。第１の抵抗５５は、電源電圧安定器４０と誘導コイル５０との間に設置され、第１端が第２の直流電源に接続され、第２端が誘導コイル５０の第１端に接続される。第１の抵抗５５は、誘導コイル５０と共に、第２の直流電源に対して電源分圧を行うことができ、第１の増幅器２０が必要とする直流電源を供給する。
【００３５】
本考案の電圧検出回路６０は、第２の抵抗６１、可変抵抗６２、第３の抵抗６３、第４の抵抗６４、第１のトランジスタ６５、第５の抵抗６６、第６の抵抗６７、第７の抵抗６８、第２のトランジスタ６９、第８の抵抗７０、第３のトランジスタ７１及び第４のトランジスタ７２を有する。
【００３６】
第２の抵抗６１は、第１端が第１の抵抗５５の第１端に接続され、第２端が第２の直流電源に接続される。第２の抵抗６１は、第１の抵抗５５及び誘導コイル５０と共に、分圧回路を形成する。
【００３７】
可変抵抗６２は、第１端が第１の抵抗５５及び第２の抵抗６１の第１端に接続され、第２端が第３の抵抗６３の第１端に接続される。
【００３８】
第３の抵抗６３は、第１端が可変抵抗６２の第２端に接続され、第２端が第４の抵抗６４の第１端に接続される。
【００３９】
第４の抵抗６４は、第１端が第３の抵抗６３の第２端に接続され、第２端が接地される。
【００４０】
第１のトランジスタ６５は、第１端が第３の抵抗６３の第２端及び第４の抵抗６４の第１端に接続され、第２端が接地され、第３端が第５の抵抗６６の第２端に接続される。可変抵抗６２、第３の抵抗６３及び第４の抵抗６４は、第１のトランジスタ６５が必要とする電圧を調整することができる。第１のトランジスタ６５は、例えば、ＮＰＮトランジスタである。第１端は、例えば、ベース極である。第２端は、例えば、エミッタ極である。第３端は、例えば、コレクタ極である。
【００４１】
第５の抵抗６６は、第１端が第２の直流電源に接続され、第２端が第１のトランジスタ６５の第３端に接続される。
【００４２】
第６の抵抗６７は、第１端が第５の抵抗６６の第２端及び第１のトランジスタ６５の第３端に接続される。第２端は、第２のトランジスタ６９の第１端に接続される。
【００４３】
第７の抵抗６８は、第１端が第２の直流電源に接続され、第２端が第２のトランジスタ６９の第３端に接続される。
【００４４】
第２のトランジスタ６９は、第１端が第６の抵抗６７の第２端に接続され、第２端が接地され、第３端が第７の抵抗６８の第２端に接続される。第２のトランジスタ６９は、例えば、ＮＰＮトランジスタである。第１端は、例えば、ベース極である。第２端は、例えば、エミッタ極である。第３端は、例えば、コレクタ極である。
【００４５】
第８の抵抗７０は、第１端が第２の直流電源に接続され、第２端が第３のトランジスタ７１の第３端に接続される。
【００４６】
第３のトランジスタ７１は、第１端が第７の抵抗６８の第１端及び第２のトランジスタ６９の第３端に接続され、第２端が接地され、第３端が第８の抵抗７０の第２端に接続される。第３のトランジスタ７１は、例えば、ＮＰＮトランジスタである。第１端は、例えば、ベース極である。第２端は、例えば、エミッタ極である。第３端は、例えば、コレクタ極である。
【００４７】
第４のトランジスタ７２は、第１端が第８の抵抗７０の第２端及び第３のトランジスタ７１の第３端に接続され、第２端が第２の直流電源に接続され、第３端が第１の表示灯８０及び第２の増幅器９０に制御信号ＣＮＴＬを出力する。第４のトランジスタ７２は、例えば、ＰＮＰトランジスタである。第１端は、例えば、ベース極である。第２端は、例えば、エミッタ極である。第３端は、例えば、コレクタ極である。
【００４８】
作動例を以下に示す。第１の増幅器２０が正常に作動している場合、誘導コイル５０上は、８．５Ｖ〜９．０Ｖの電圧を誘導することができる。８．５Ｖ〜９．０Ｖの電圧は、可変抵抗６２、第３の抵抗６３及び第４の抵抗６４によって分圧された後、第１のトランジスタ６５を導通させ、第２のトランジスタ６９を遮断し、第３のトランジスタ７１及び第４のトランジスタ７２を導通させる。これにより、第４のトランジスタ７２が高電位の制御信号ＣＮＴＬを出力し、第９の抵抗８１及び第１０の抵抗９１によって分圧された後、第１の表示灯８０を点灯（緑色灯）させる。また、第２の増幅器９０が導通され、第２の表示灯１００を消灯させる。第１の増幅器２０が故障した場合、誘導コイル５０上は、４．５Ｖ〜５．６Ｖの電圧を誘導することができる。４．５Ｖ〜５．６Ｖの電圧は、可変抵抗６２、第３の抵抗６３及び第４の抵抗６４によって分圧された後、第１のトランジスタ６５を遮断し、第２のトランジスタ６９を導通し、第３のトランジスタ７１及び第４のトランジスタ７２を遮断する。これにより、第４のトランジスタ７２が低電位の制御信号ＣＮＴＬを出力し、第１の表示灯８０を消灯させる。また、第２の増幅器９０が遮断され、第２の表示灯１００が点灯（赤色灯）する。これにより、作業員は、第１の表示灯８０及び第２の表示灯１００の色によって増幅器が正常に作動しているか否かを判断することができる。
【００４９】
図３に示すように、本考案のインテリジェント型表示灯を有する分配増幅器は、プリント基板１３０をさらに有する。プリント基板１３０には、第１のコネクタ１０、第１の増幅器２０、第２のコネクタ３０、電源電圧安定器４０、誘導コイル５０、電圧検出回路６０、第１の表示灯８０、第２の増幅器９０、第２の表示灯１００などの素子が搭載される。
【００５０】
また、本考案のインテリジェント型表示灯を有する分配増幅器は、第９の抵抗８１及び第１０の抵抗９１をさらに有する。第９の抵抗８１は、プリント基板１３０上に設置される上、電圧検出回路６０と第１の表示灯８０との間に位置する。第９の抵抗８１は、第１端が第４のトランジスタ７２の第３端に接続され、第２端が第１の表示灯８０の第１端に接続され、第１の表示灯８０が必要とする分圧を行うことができる。第１０の抵抗９１は、プリント基板１３０上に設置される上、第１の表示灯８０と第２の増幅器９０との間に位置する。第１０の抵抗９１は、第１端が第９の抵抗８１の第２端に接続され、第２端が第２の増幅器９０の第１端に接続され、第２の表示灯９０が必要とする分圧を行うことができる。
【００５１】
また、本考案のインテリジェント型表示灯を有する分配増幅器は、スイッチ１４０、第１のデュプレクサ１５０、第２のデュプレクサ１５１及び抵抗整合器１６０をさらに有す。
【００５２】
スイッチ１４０は、プリント基板１３０上に設置される。スイッチ１４０は、５つの端子を有する素子であり、第１端が制御信号ＣＮＴＬに接続され、第２端が接地され、第３端が第１のコネクタ１０に接続され、第４端が抵抗整合器１６０に接続され、第５端が第１のデュプレクサ１５０の第１端に接続される。スイッチ１４０は、例えば、電子式のスイッチであり、継電器が好ましい。
【００５３】
第１のデュプレクサ１５０は、プリント基板１３０上に設置される上、スイッチ１４０と第１の増幅器２０との間に位置する。第１のデュプレクサ１５０は、第１端がスイッチ１４０の第５端に接続され、第２端が第１の増幅器２０の入力端に接続され、第３端が第２のデュプレクサ１５１の第３端に接続される。
【００５４】
第２のデュプレクサ１５１は、プリント基板１３０上に設置される上、第１の増幅器２０と第２のコネクタ３０との間に位置する。第２のデュプレクサ１５１は、第１端が第２のコネクタ３０に接続され、第２端が第１の増幅器２０の出力端に接続され、第３端が第１のデュプレクサ１５０の第３端に接続される。
【００５５】
抵抗整合器１６０は、プリント基板１３０上に設置され、第１端がスイッチ１４０の第４端に接続され、第２端が接地される。抵抗整合器１６０は、例えば、７５Ωの抵抗である。
【００５６】
電源が入ると、スイッチ１４０が第３端と第５端とが導通する位置に切り換わり、ＲＦ信号を第１の増幅器２０によって増幅した後、第２のコネクタ３０から出力する。電源が中断されたり、第１の増幅器２０が故障した場合、スイッチ１４０が第３端と第４端とが導通する位置に切り換わり、ＲＦ信号の出力を停止する。また、抵抗整合器１６０により、７５Ωの整合抵抗を提供する。
【００５７】
また、本考案のインテリジェント型表示灯を有する分配増幅器は、第１のフィルタリング回路１７０、整流ダイオード１８０及び第２のフィルタリング回路１９０をさらに有する。
【００５８】
第１のフィルタリング回路１７０は、第１端が第１の直流電源に接続され、第１の直流電源に対してフィルタリングを行う。
【００５９】
整流ダイオード１８０は、第１端がフィルタリング回路１７０に接続され、第２端が第１の直流電源を出力し、第１の直流電源に対して０．７Ｖの降圧を行う。
【００６０】
第２のフィルタリング回路１９０は、第１端が整流ダイオード１８０の第２端に接続され、第２端が電源電圧安定器４０の第１端に接続される。第２のフィルタリング回路１９０は、第１の直流電源に対し、再度、フィルタリングを行う。
【００６１】
第１の増幅器２０が正常に作動している場合、誘導コイル５０上は、８．５Ｖ〜９．０Ｖの電圧を誘導することができる。８．５Ｖ〜９．０Ｖの電圧は、可変抵抗６２、第３の抵抗６３及び第４の抵抗６４によって分圧された後、第１のトランジスタ６５を導通させ、第２のトランジスタ６９を遮断し、第３のトランジスタ７１及び第４のトランジスタ７２を導通させる。これにより、第４のトランジスタ７２が高電位の制御信号ＣＮＴＬを出力し、第９の抵抗８１及び第１０の抵抗９１によって分圧された後、第１の表示灯８０を点灯（緑色灯）させる。また、第２の増幅器９０が導通され、第２の表示灯１００を消灯させる。第１の増幅器２０が故障した場合、誘導コイル５０上は、４．５Ｖ〜５．６Ｖの電圧を誘導することができる。４．５Ｖ〜５．６Ｖの電圧は、可変抵抗６２、第３の抵抗６３及び第４の抵抗６４によって分圧された後、第１のトランジスタ６５を遮断し、第２のトランジスタ６９を導通し、第３のトランジスタ７１及び第４のトランジスタ７２を遮断する。これにより、第４のトランジスタ７２が低電位の制御信号ＣＮＴＬを出力し、第１の表示灯８０を消灯させる。また、第２の増幅器９０が遮断され、第２の表示灯１００が点灯（赤色灯）する。これにより、作業員は、第１の表示灯８０及び第２の表示灯１００の色によって分配器が正常に作動しているか否かを判断することができる。このため、本考案のインテリジェント型表示灯を有する分配増幅器は、従来の室内増幅器と比較し、増幅器が正常に作動しているか否かを簡単に判別することができる。
【００６２】
図４に示すように、本考案のインテリジェント型表示灯を有する分配増幅器は、ケーシング１９５をさらに有する。ケーシング１９５には、プリント基板１３０、第１のコネクタ１０、第２のコネクタ３０などの素子が収容される。ケーシング１９５は、例えば、プラスチック材料からなる。
【００６３】
説明した内容から分かるように、本考案のインテリジェント型表示灯を有する分配増幅器は、増幅器が正常に作動しているか否かを簡単に判別することができる。
【００６４】
本考案のインテリジェント型表示灯を有する分配増幅器は、電圧検出回路、第１の表示灯及び第２の表示灯を有し、増幅器が正常な作動状態であるか、或いは、故障状態であるかを有効に表示することができるため、従来の増幅器と比較して進歩性を有する。
【００６５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００６６】
１０  第１のコネクタ
２０  第２の増幅器
３０  第２のコネクタ
４０  電源電圧安定器
５０  誘導コイル
５５  第１の抵抗
６０  電圧検出回路
６１  第２の抵抗
６２  可変抵抗
６３  第３の抵抗
６４  第４の抵抗
６５  第１のトランジスタ
６６  第５の抵抗
６７  第６の抵抗
６８  第７の抵抗
６９  第２のトランジスタ
７０  第８の抵抗
７１  第３のトランジスタ
７２  第４のトランジスタ
８０  第１の表示灯
８１  第９の抵抗
９０  第２の増幅器
９１  第１０の抵抗
１００  第２の表示灯
１３０  プリント基板
１４０  スイッチ
１５０  第１のデュプレクサ
１５１  第２のデュプレクサ
１６０  抵抗整合器
１７０  第１のフィルタリング回路
１８０  整流ダイオード
１９０  第２のフィルタリング回路
１９５  ケーシング
２１０  第１のコネクタ
２２０  増幅器
２３０  第２のコネクタ
２４０  電源電圧安定器
２５０  誘導コイル
２６０  表示灯
【図１】
0003187326.tif 000003
【図２】
0003187326.tif 000004
【図３】
0003187326.tif 000005
【図４】
0003187326.tif 000006